(57)【要約】      （修正有）【課題】赤外線の遮断及び透過の切替えを行う構造を薄型、小型化し、また、バリフォーカルレンズあるいは固定焦点レンズどちらにも取付けを可能にした赤外線カット切替え装置を提供する。【解決手段】監視カメラ及びそれらに使われるボードカメラの撮像部に対応する開口部を備えた支持板と、赤外線を遮断する赤外線カットフィルタと赤外線を透過するダミーフィルタとを前記開口部に切替え配置可能に対応させ、前記撮像部への赤外線の遮断と透過とを切替える切替え部材と、前記切替え部材を支持板に沿って移動させる電気駆動部とを備えることを特徴とするものであり、赤外線の遮断と透過とを切替える機構を有する装置の構成が簡略化され、装置の小型化、薄型化が容易になるとともに軽量化にも寄与するようになる。【選択図】図５
0003147474.tif 000002
【実用新案登録請求の範囲】
【請求項１】
監視カメラ及びそれらに使われるボードカメラの撮影部に対応する開口部を備えた支持板と、赤外線を遮断する赤外線カットフィルタと赤外線を透過するダミーフィルターとを前記開口部に切替え配置可能対応させて、前記撮像部への赤外線の遮断と透過とを切替える切替え部材と、前記切替え部材を支持板に沿って移動させる電気駆動部とを備えることを特徴とする赤外線カット切替え装置。 
【請求項２】
前記電気駆動部は、回転軸を有する永久磁石回転体と、巻付けたコイルの通電により磁界を生じさせ、前記永久磁石回転体を回転させるボビンと、前記永久磁石回転体とボビンを内方に配置させたこの永久磁石回転体と、ボビンから発生する磁気回路を均一にする筒状のヨークと、前記ボビンが取り付けられるくぼみを有して、電気駆動部の全高を低くするために、コイル端子をボビンの側面に設け、コイル端子と電気駆動部のプリント配線板が接続されるとともに、監視カメラ及びそれらに使われるボードカメラの制御部側に着脱可能なコネクタを備えた電線とからなるものである請求項１に記載の赤外線カット切替え装置。 
【請求項３】
前記切替え部材を一方向に移動させて、前記一方のフィルタが前記開口部に対応するように付勢手段を備え、前記電気駆動部は通電時に前記付勢手段の付勢力に対して切替え部材を逆方向に移動させて、他方のフィルタが開口部に対応するように切替え部材を保持し、電気駆動部の非通電時に前記付勢手段により、一方のフィルタが開口部に対応するように吸着鉄片で保持される構成とし、請求項１,２の何れか一項に記載の赤外線カット切替え装置。   
【請求項４】
前記支持板が上記切替え部材を移動可能に支持し、かつ支持板に監視カメラ及びそれらに使われるボードカメラ側への取付部が設けられている請求項１から３の何れか一項に記載の赤外線カット切替え装置。 
【請求項５】
前記に記載の赤外線カット切替え装置であって、前記フィルタを取付ける取付板は、この取付板の開口部側面に設けた突起に挟み込み、なおかつ、樹脂の弾性力を利用し長腕状の固定部を設け、フィルタを固定する構造を特徴とする請求項１から４の何れか一項に記載の赤外線カット切替え装置。 
【請求項６】
前記に記載の赤外線カット切替え装置であって、前記支持板に着脱可能なフタを具備しており、そのフタを交換することによりバリフォーカルレンズあるいは、固定焦点レンズにも取付けすることが出来る構成を特徴とした、赤外線カット切替え装置。 
【請求項７】
前記に記載の赤外線カット切替え装置であって、ＣＣＤ素子を取付ける着脱可能なＣＣＤ枠を前記支持板に設けられた角穴部分と、ＣＣＤ枠に設けられた突起状のフック部分で係合され、必要に応じて着脱可能な構成を特徴とした、赤外線カット切替え装置。 
【請求項８】
前記に記載の赤外線カット切替え装置であって、前記支持板の電気駆動部を取付ける底面に鍵状の突起を設け、そこに前記駆動部のプリント配線板から監視カメラ及びそれらに使われるボードカメラの制御部側に接続する電線を引っ掛けることにより、前記電線を前記支持板に固定する構成を特徴とした、赤外線カット切替え機構。
【考案の詳細な説明】
【技術分野】
【０００１】本考案は、昼夜連続撮影用カメラ及びそれらに使われるボードカメラに使われ、撮像部側への赤外線の遮断と入射を切り替える赤外線カット切替え装置に関するものである。 
【背景技術】
【０００２】昼夜連続撮影用カメラ及びそれらに使われるボードカメラには、円柱状の駆動部を備えたアクチュエーターが使用されている。【０００３】この種のアクチュエーターは、駆動部が円柱状であり、開口部に対して直交方向あるいは平行に突出しており、周囲に付随する部品の配置の障害になっている。【０００４】バリフォーカルレンズ用、固定焦点レンズ用の２種及びＣＣＤ枠の有無と支持板は４種類必要としている。          
【考案の開示】
【考案が解決しようとする課題】
【０００５】昼夜連続撮影用監視カメラ及びそれらに使われるボードカメラに使用されている赤外線カット切替え装置は、カメラ本体内部のＣＣＤ素子などからなる撮影部に達する光路に、赤外線を遮断する赤外線カットフィルタあるいは、赤外線を透過するダミーフィルタが配置されるように、そのフィルタが移動可能に支持し、その移動を電磁アクチュエーターを使用して制御している。しかしながら、その電磁アクチュエーターを使用すると、電気駆動部分が大きくなり、カメラ全体の外形寸法が大きくなってしまう問題がある。【０００６】ボードカメラ用として赤外線カット切替え装置をレンズの取付け部分に直接つける機能の他、バリフォーカルレンズあるいは、固定焦点レンズにも取付けが可能である必要性が求められている。【０００７】本考案は前記事情を考慮し、赤外線の遮断及び透過の切替えを行う機構を薄型、小型化することと、一部品を着脱式にしバリフォーカルレンズあるいは、固定焦点レンズにも取り付けることが可能にすることを課題とした赤外線カット切替え装置を提供することを目的とする。 
【課題を解決するための手段】
【０００８】請求項１の考案は、監視カメラ及びそれらに使われるボードカメラの撮像部に対応する開口部を備えた支持板と、赤外線を遮断する赤外線カットフィルタと赤外線を透過するダミーフィルタとを前記開口部に切替え配置可能に対応させて、前記撮像部への赤外線の遮断と透過とを切替える切替え部材と、前記切替え部材を支持板に沿って移動させる、電気駆動部とを備えることを特徴とする、赤外線カット切替え装置を提供して、課題を解決するもの。  【０００９】請求項２の考案は、請求項１に記載の赤外線カット切り替え装置であって、電気駆動部は回転軸を有する永久磁石回転体と、巻き付けたコイルの通電により磁界を生じさせ、前記永久磁石回転体を回転させるボビンと、前記永久磁石回転体とボビンを内方に配置させたこの永久磁石回転体とボビンから発生する磁気回路を均一にする筒状のヨークと、前記ボビンが取付けられるくぼみを有して、電気駆動部の全高を低くするために、コイル端子をボビンの側面に設け、コイル端子と電気駆動部のプリント配線板が接続されるとともに、監視カメラ及びそれらに使われるボードカメラの制御部側に着脱可能なコネクタを備えた電線とからなるものであり、前記切替え部材を一方向に移動させて、前記一方のフィルタが前記開口部に対応するように付勢する付勢手段を備え、前記駆動部分は通電時に付勢手段の付勢力に対して切替え部材を逆方向に移動させ、他方のフィルタが開口部に対応するように切替え部材を保持し、電気駆動部の非通電時に前記付勢手段により一方のフィルタが開口部に対応するように保持される構成とする。【００１０】請求項３の考案は、請求項１又は請求項２に記載の赤外線カット切替え装置であって、前記駆動部の非通電時に付勢手段により一方のフィルタが開口部に対応するように保持できる吸着鉄片を配置している構成とする。【００１１】請求項４の考案は、請求項１から請求項３に記載の赤外線カット切替え装置であって、前記支持板が前記切替え部材を移動可能に支持し、かつ支持板に監視カメラおよびそれらに使われるボードカメラ側への取付部が設けられている構成とする。【００１２】請求項５の考案は、請求項１から請求項４に記載の赤外線カット切替え装置であって、前記取付板の開口部側面に設けた突起に前記フィルタを挟み込み、なおかつ、樹脂の弾性力を利用し、長腕状の固定部を設け、フィルタを固定する構造とする。    【００１３】請求項６の考案は、請求項１から請求項５に記載の赤外線カット切替え装置であって、前記支持板にネジ止め可能な接合部分を備えた支持板と、着脱可能なフタを具備しており、バリフォーカルレンズあるいは、固定焦点レンズにネジで取付け可能なフタを交換できる構成を特徴とする。【００１４】請求項７の考案は、請求項１から請求項６に記載の赤外線カット切替え装置であって、前記支持板にＣＣＤ素子を取付ける着脱可能なＣＣＤ枠が、支持板に設けられた突起状のフック部分で結合され、必要に応じて着脱可能な構成を特徴とする。【００１５】請求項８の考案は、請求項１から請求項７に記載の赤外線カット切替え装置であって、前記支持板の電気駆動部を取付ける底面に鍵状の突起を設け、そこに前記電気駆動部のプリント配線板から監視カメラ及びそれらに使われるボードカメラの制御部側に接続する電線を引っ掛けることにより、前記電線を前記支持板に固定する構成を特徴とする。 
【考案の効果】
【００１６】請求項１の考案によれば、監視カメラ及びそれらに使われるボードカメラの撮像部に対応する開口部を備えた支持板と、赤外線を遮断する赤外線カットフィルタと赤外線を透過するダミーフィルタとを前記開口部に切替え配置可能に対応させ、前記撮像部への赤外線の遮断と透過とを切替える切替え部材と、前記切替え部材を支持板に沿って移動させる電気駆動部とを備えることを特徴とするものであり、赤外線の遮断と透過とを切替える機構を有する装置の構成が簡略化され、装置の小型化、薄型化が容易になるとともに軽量化にも寄与するようになる。そして、構成が簡略化され、小型化、薄型化することで、赤外線カット切替え装置が必要とされるあらゆる監視カメラに使用可能となり、適切な状態で撮影が行え、昼夜を問わずに鮮明な画像が得られるようになるなど、実用性に優れた効果を奏するもにである。 【００１７】請求項２の考案によれば、電気駆動部のプリント配線板をボビンの側面に配置することで、突起物が排除され全高を低くすることができるとともに、周辺に付随する部品への障害を軽減できる。【００１８】請求項3の考案によれば、電気駆動部を非通電とした時、一方のフィルタを開口部に配置した状態のまま保持することが出来るので、消費電力の軽減が可能となる。【００１９】請求項４の考案によれば、監視カメラ及びそれらに使われるボードカメラ側に取付け可能な赤外線カット切替え装置を提供することが出来る。【００２０】請求項５の考案によれば、前記取付板に取付けるフィルタの固定が接着不要となり、従来、接着剤塗布の時間が掛かっていた工程が簡略され、なおかつ接着剤の流れ過ぎによる撮像部への影響を防止することが可能となる。【００２１】請求項６の考案によれば、バリフォーカルレンズあるいは、固定焦点レンズに取付ける場合には着脱可能な前記フタを交換することで、多種に渡り対応が可能となる。【００２２】請求項７の考案によれば、ＣＣＤ素子を取付ける場合に、着脱可能な前記ＣＣＤ枠を着脱することで、多種に渡り対応が可能となる。【００２３】請求項８の考案によれば、前記電線を支持板に引っ掛けることで前記電線が固定できるため、固定用の部品を削減できる。       
【考案を実施するための最良の形態】
【００２４】図１（ａ）は、本考案の監視カメラの撮像部に達する光路での赤外線の遮断と入射とを切替える基本となる形状の赤外線カット切替え装置である。この赤外線カット切替え装置１は、図１（ｂ）に示すように撮影部に対応する開口部２を備えた支持板３に、切替え部材４を移動可能に重ね合わせたものである。支持板３の側壁それぞれには、この赤外線カット切替え装置１を監視カメラ及びそれらに使われるボードカメラ側の図示しないケーシングやプリント基板に取付けるためのネジ穴３Ａ，３Ｂが一体に設けられ、この支持体３を監視カメラ及びそれらに使われるボードカメラ側のケーシングやプリント基板などに固定することで、撮像部に達する光路での位置で切替え部材４が前記光路を直交る方向に移動可能な状態で配置されるようにしている。【００２５】図１（ｂ）に示すように、前記切替え部材４は対の開口を有した取付板５に赤外線を遮断する赤外線カットフィルタ７と赤外線を透過するダミーフィルタ６を並べて取付けたものであり、薄型に形成されている。取付板５の一隅部に連結孔５Ａを配している。【００２６】取付板５の側辺部は、前記支持板３の長辺側の側壁の内側面の間に位置されていて、切替え部材４が支持板３の長手方向に沿って移動可能に支持され、そして、フタ８を取付けることで上方に抜けないようにしている。【００２７】支持板３の長辺側の端部には、電気駆動部を組み込むくぼみ３Ｃが一体に連接され、このくぼみ３Ｃにおける前記支持板３の切替え部材４が配置されている方向の下面に切替え部材用の電気駆動部が設けられている。    【００２８】前記電気駆動部は、切替え部材４を支持板３に対してその長手方向に沿って移動させるもので、図２に示すように回転軸を有する永久磁石回転体１１と、巻付けたコイル９への通電により磁界を生じさせて永久磁石回転体１１を回転させるボビン１２とを、前記永久磁石回転体１１が一対のボビン１２の間になるように、更に、永久磁石回転体  １１とボビン１２とを筒状のヨーク１３の内側に配置した状態とし、一対のボビン１２の片側側面に端子１４が２本挿入されている。【００２９】筒状のヨーク１３と一対のボビン１２の間に吸着鉄片１５が挿入できる溝を設け、永久磁石回転体11が吸着され、非通電時でも位置を保持出来るようになっている。【００３０】電気駆動部のプリント配線板１６に２本の電線１７，１８をはんだ付けすることで、電気駆動部と監視カメラ及びそれに使われるボードカメラの制御回路が接続され、着脱可能なコネクタを備えている。この電線１７，１８は図３に示す鍵状の突起物３Ｅに引っ掛けられる構造を備え、電線２本を固定出来るようになっている。【００３１】電気駆動部のレバー１０の中心部は軸を挿入する孔を有し、ボビン１２の中心部に設けた軸１２Ａで回転自由に支持される。ボビン１２はそれぞれ同一の構成であるが、図において一方のボビン１２における軸１２Ａは見えない位置にある。レバー１０は、前記切替え部材４における取付板５の連結孔５Ａに連結している。        【００３２】以上のようにして切替え部材４と電気駆動部とがレバー１０を介して連結されており、電気駆動部の動作でレバー１０が所要角度範囲で回転し、切替え部材４が支持板３��長手方向に沿って移動するように設けられている。そして、電流が流されて電気駆動部が動作し、レバー１０が一方の回転限界点に達した時に、切替え部材４における一方の赤外線カットフィルタ７が支持板３の開口部２に対応位置するように設けられている。レバー１０が一方に回転する時の回転限界点として、支持板３の内壁に取付板５の先端が当接することでそれ以上にはレバー１０が回転しないようにしている。よって、電気駆動部に通電され一方の赤外線カットフィルタ７が支持板３の開口部２に対応する状態で止まり、非通電となった場合には吸着鉄片１５でその位置を保持する。また、レバー１０が逆方向に回転する時も、図において見えない位置であるがもう一方の回転限界点として前記同様に設けられている。【００３３】図４は、取付板５に赤外線カットフィルタ７とダミーフィルタ６が取付けられた切替え部材４の構成図である。取付板５の開口部の中央辺部と側面辺部に突起５Ａが上下に配置されている。この突起５Ａの厚み方向に上下の間で隙間を設け、その隙間に赤外線カットフィルタ７とダミーフィルタ６をもぐり込ませる構造であり並べて配置するようにしてある。更に、取付板５の側方に長腕部５Ｂを設け、樹脂の弾力性を利用して赤外線カットフィルタ７とダミーフィルタ６をもぐり込ませる時は、長腕部５Ｂが外側に僅かに開き挿入易くし、挿入後は長腕部５Ｂが元に戻り、赤外線カットフィルタ７とダミーフィルタ６の側面を押さえつけるようになり、赤外線カットフィルタ７とダミーフィルタ６が上下に動かないようにしている特長がある。【００３４】図５は、バリフォーカルレンズに対応可能な構成とし、ＣＣＤ素子の取付けも可能な構成とした図である。  【００３５】基準となるフタ８をバリフォーカルランズ用フタ１９に交換することが可能な構成とし、ネジ２０で支持板３の取付け穴にネジ止めすることが可能である。この構造であれば、バリフォーカルレンズ用フタ１９以外の部品は基準となる部品をそのまま流用できる利点があり、多種多様の要求に対応できる特徴がある。【００３６】ＣＣＤ素子が取付け可能なＣＣＤ枠２４は、支持板３の角穴３ＦにＣＣＤ枠２４のフック２４Ａがはめ込める構造であり、必要に応じて着脱可能である。また、ネジ２３でバリフォーカルレンズ用フタ１９とＣＣＤ枠２４を係合することでレンズが付いた時の重量増による薄肉部の破損防止する効果が得られる。【００３７】バリフォーカルレンズ用フタ１９は、円筒状の壁で覆われた挿入孔１９Ａにバリフォーカル用レンズが挿入され、ネジ２１で両側から固定される。このネジ２１は、インサートネジ２２を設けてネジ込み部分が破損しないように補強されている。【００３８】図６は、固定焦点レンズに対応可能な構成とし、ＣＣＤ素子の取付けも可能な構成とした図である。【００３９】基準となるフタ８を固定焦点レンズ用フタ２５に交換することが可能な構成とし、ネジ２６で支持板３の取付け穴にネジ止めすることが可能である。この構造であれば、固定焦点レンズ用フタ２５以外の部品は基準となる部品をそのまま流用出来る利点があり、多種多様の要求に対応出来る特徴がある。【００４０】ＣＣＤ素子が取付可能なＣＣＤ枠２７は、支持板３の角穴３ＦにＣＣＤ枠２７のフック２７Ａがはめ込める構造であり、必要に応じて着脱可能である。また、ネジ２８で固定焦点レンズ用フタ２５とＣＣＤ枠２７を係合することでレンズが付いた時の重量増による薄肉部の破損を防止する効果が得られる。  【００４１】固定焦点レンズ用フタ２５は、円筒状の壁で覆われた挿入孔２５Ａがネジ状に構成されており、固定焦点用のレンズ円筒部分のネジと接合して取付けられる。 
【図面の簡単な説明】
【００４２】
【図１】（ａ）は、赤外線の遮断と入射とを切替える基本となる形状の赤外線切替え装置の図    （ｂ）は、切替え部材の詳細図
【図２】は、電気駆動部詳細図
【図３】は、ＣＣＤ枠取付け穴、電線固定部詳細図
【図４】は、フィルタ取付け方法詳細図
【図５】は、バリフォーカルレンズ用フタ取付け詳細図
【図６】は、固定焦点レンズ用フタ取付け詳細図
【符号の説明】
【００４３】１    赤外線カット切替え装置２    開口部３    支持板４    切替え部材５    取付板６    ダミーフィルタ７    赤外線カットフィルタ８    フタ９    コイル１０  レバー１１  永久磁石回転体１２  ボビン１３  ヨーク１４  端子１５  吸着鉄片１６  プリント配線板１７  電線１８  電線１９  バリフォーカルレンズ用フタ２０  ネジ２１  ネジ２２  インサートネジ２３  ネジ２４  ＣＣＤ枠２５  固定焦点レンズ用フタ２６  ネジ２７  ＣＣＤ枠２８  ネジ
【図１】
0003147474.tif 000003
【図２】
0003147474.tif 000004
【図３】
0003147474.tif 000005
【図４】
0003147474.tif 000006
【図５】
0003147474.tif 000007
【図６】
0003147474.tif 000008
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
監視カメラ及びそれらに使われるボードカメラの撮影部に対応する開口部を備えた支持板と、赤外線を遮断する赤外線カットフィルタと赤外線を透過するダミーフィルターとを前記開口部に切替え配置可能対応させて、前記撮像部への赤外線の遮断と透過とを切替える切替え部材と、前記切替え部材を支持板に沿って移動させる電気駆動部とを備えることを特徴とする赤外線カット切替え装置。
【請求項２】
前記電気駆動部は、回転軸を有する永久磁石回転体と、巻付けたコイルの通電により磁界を生じさせ、前記永久磁石回転体を回転させるボビンと、前記永久磁石回転体とボビンを内方に配置させたこの永久磁石回転体と、ボビンから発生する磁気回路を均一にする筒状のヨークと、前記ボビンが取り付けられるくぼみを有して、電気駆動部の全高を低くするために、コイル端子をボビンの側面に設け、コイル端子と電気駆動部のプリント配線板が接続されるとともに、監視カメラ及びそれらに使われるボードカメラの制御部側に着脱可能なコネクタを備えた電線とからなるものである請求項１に記載の赤外線カット切替え装置。
【請求項３】
前記切替え部材を一方向に移動させて、前記一方のフィルタが前記開口部に対応するように付勢手段を備え、前記電気駆動部は通電時に前記付勢手段の付勢力に対して切替え部材を逆方向に移動させて、他方のフィルタが開口部に対応するように切替え部材を保持し、電気駆動部の非通電時に前記付勢手段により、一方のフィルタが開口部に対応するように吸着鉄片で保持される構成とし、請求項１,２の何れか一項に記載の赤外線カット切替え装置。
【請求項４】
前記支持板が上記切替え部材を移動可能に支持し、かつ支持板に監視カメラ及びそれらに使われるボードカメラ側への取付部が設けられている請求項１から３の何れか一項に記載の赤外線カット切替え装置。
【請求項５】
前記に記載の赤外線カット切替え装置であって、前記フィルタを取付ける取付板は、この取付板の開口部側面に設けた突起に挟み込み、なおかつ、樹脂の弾性力を利用し長腕状の固定部を設け、フィルタを固定する構造を特徴とする請求項１から４の何れか一項に記載の赤外線カット切替え装置。
【請求項６】
前記に記載の赤外線カット切替え装置であって、前記支持板に着脱可能なフタを具備しており、そのフタを交換することによりバリフォーカルレンズあるいは、固定焦点レンズにも取付けすることが出来る構成を特徴とする請求項１から５の何れか一項に記載の赤外線カット切替え装置。
【請求項７】
前記に記載の赤外線カット切替え装置であって、ＣＣＤ素子を取付ける着脱可能なＣＣＤ枠を前記支持板に設けられた角穴部分と、ＣＣＤ枠に設けられた突起状のフック部分で係合され、必要に応じて着脱可能な構成を特徴とする請求項１から６の何れか一項に記載の赤外線カット切替え装置。
【請求項８】
前記に記載の赤外線カット切替え装置であって、前記支持板の電気駆動部を取付ける底面に鍵状の突起を設け、そこに前記駆動部のプリント配線板から監視カメラ及びそれらに使われるボードカメラの制御部側に接続する電線を引っ掛けることにより、前記電線を前記支持板に固定する構成を特徴とする請求項１から７の何れか一項に記載の赤外線カット切替え装置。